(57)【要約】【課題】意匠性に優れ、握り易さや使い易さ等を前提とした「ユニバーサルデザイン」に配慮した収納用取手、及びこのような取手を備えた収納具を提供する。【解決手段】略板状に構成され、裏面が収納具２の開き戸や引出２２等の前面部２３と対向する取手本体と、前記収納具２の開き戸や引出等２２に該取手本体を連結する連結部材とからなる取手において、使用者の指と接触する前記取手本体１２の裏面の上端縁部に沿って、半径４ｍｍないし６ｍｍの断面円弧状に構成された凸面部１２ｂ１を突設するとともに、前記取手本体１２が、前記収納具２の開き戸や引出２２等の前面２３部に対して３０度ないし６０度傾斜した状態で前記収納具２の開き戸や引出等２２に連結される。【選択図】図１
2008079958.tif 000002
【特許請求の範囲】
【請求項１】
略板状に構成され、裏面が収納具の開き戸や引出等の前面部と対向する取手本体と、前記収納具の開き戸や引出等の取付面に前記取手本体を連結する連結部材とからなる取手において、
使用者の指と接触する前記取手本体の裏面の上縁端部に沿って、半径４ｍｍないし６ｍｍの断面円弧状に構成された凸面部を突設するとともに、
前記取手本体が、前記収納具の開き戸や引出等の前面部に対して３０度ないし６０度傾斜した状態で前記収納具の開き戸や引出等に連結されることを特徴とする、取手。
【請求項２】
前記凸面部が、半径４ｍｍないし６ｍｍの断面半円状に構成されていることを特徴とする、請求項１に記載の取手。
【請求項３】
前記取手本体の表面が、半径１５ｍｍないし２０ｍｍの断面円弧状に構成されていることを特徴とする、請求項１又は２に記載の取手。
【請求項４】
前記連結部材が、略コの字状に構成されていることを特徴とする、請求項１から３のいずれかに記載の取手。
【請求項５】
請求項１から４のいずれかに記載の取手を備えることを特徴とする、収納具。
【発明の詳細な説明】
【技術分野】
【０００１】
本発明は、取手及びこのような取手を備えた収納具に関する。
【背景技術】
【０００２】
収納庫用の開き戸や引き出しに取り付けられる収納用取手には、従来より様々なものが提案されているが、例えば、以下のように構成されたものがある。特許文献１には、図６に示したように、握り部１１１の縦断面形状を円形に構成し、握り部１１１が傾斜した状態で扉や収納用キャビネットの収納用引出１０２等に取り付けられる取手１０１が開示されている。かかる握り部１１１の縦断面形状は、通常、半径４ｍｍないし６ｍｍ程度の円形で構成されている。このような取手において、図７（ａ）〜（ｃ）に示したように、その取付位置が異なれば、握り部１１１の握り方がそれぞれ異なるが、握り部１１１に対する指の接触面積はほとんど変化することがない。しかしながら、前記のような構成では、手を上又は下側向けて握り部１１１を把持した場合においても、握り部１１１に対する指の接触面積が変化しないため、握り部１１１に力が効果的に伝達せず、必要以上に力を入れて扉や収納キャビネットの引出１０２等を開閉しなければならない等の不都合があった。
【０００３】
また、特許文献２には、図８に示したように、握り部２１１を薄板状に構成し、取付面に対して握り部２１１が傾斜した状態で引き戸２０２等に取り付けられる建築用把手２０１が開示されている。しかしながら、前記のような構成では、図９に示したように、握り部２１１を強く握ると、その端部が指に食い込み使用者に不快感を与える等の不都合があった。
【特許文献１】意匠登録１１５２６０１号
【特許文献２】意匠登録９１１７２６号
【０００４】
また、図１０に示したように、開口部３１１に沿って延在するリブ３１２を取手３０１の裏面に設けたものがあり、このリブ３１２の縦断面形状が、半径約１．５ｍｍないし２．５ｍｍの半円形で構成されている。しかしながら、前記のようなリブ３１２は、取手３０１の全体形状が薄板状であることによって生じる強度不足を解消するために設けられたものである。
【０００５】
このように、前記のような取手又は建築用把手は、すべて、握り易さや使い易さ等を前提とした「ユニバーサルデザイン」に配慮して構成されたものではなかった。
【発明の開示】
【発明が解決しようとする課題】
【０００６】
したがって、本発明は、意匠性に優れ、握り易さや使い易さ等を前提とした「ユニバーサルデザイン」に配慮した収納用取手、及びこのような取手を備えた収納具を提供することを課題とする。
【課題を解決するための手段】
【０００７】
略板状に構成され、裏面が収納具の開き戸や引出等の前面部と対向する取手本体と、前記収納具の開き戸や引出等の取付面に前記取手本体を連結する連結部材とからなる取手において、使用者の指と接触する前記取手本体の裏面の上縁端部に沿って、半径４ｍｍないし６ｍｍの円弧状に構成された凸面部を突設するとともに、前記取手本体が、前記収納具の開き戸や引出等の前面部に対して３０度ないし６０度傾斜した状態で前記収納具の開き戸や引出等に連結される。
【０００８】
前記凸面部が、半径４ｍｍないし６ｍｍの断面半円状に構成されているのが好ましい。
【０００９】
前記取手本体の表面が、半径１５ｍｍないし２０ｍｍの断面円弧状に構成されているのが好ましい。
【００１０】
前記連結部材が、略コの字状に構成されているのが好ましい。
【００１１】
また、前記課題を解決するための手段として、本発明の収納具は、前記のように構成されたいずれかの取手を備える。
【発明の効果】
【００１２】
本発明によれば、取手本体が折り曲げた各指に沿って接触するので、握り易さや使い易さ等を前提とする「ユニバーサルデザイン」に配慮して、取手自体の意匠性を向上させることが可能である。
【００１３】
また、本発明によれば、各指と取手本体との接触面積が広くなり、引出等を開けるのに必要な力が取手本体に伝達し易い。特に、手を上側に挙げて取手を把持した場合、使用者の手が、広い範囲で取手本体の表面と接触するので、この接触部分を支点として引出作業に必要な力を取手本体に加え易い。これにより、使用者にとって、引出等を開けるのが容易となる。
【発明を実施するための最良の形態】
【００１４】
本発明の実施形態を添付の図面に従って説明する。
【００１５】
図１は、本発明の第１実施形態に係る取手１が取り付けられた収納用キャビネット２であり、図２（ａ）は、図１の収納用引出２２に取り付けられた取手１の正面図であり、図２（ｂ）は、その背面図であり、図２（ｃ）は、その側面図である。
【００１６】
収納用キャビネット２は、前方が開放したキャビネット本体２１と、前方から挿入して前記キャビネット本体２１の内方に摺動可能に収容される収納用引出２２とからなる。収納用引出２２は、箱状の収納体（不図示）の前方に取り付けられる前板２３を備える。
【００１７】
取手１は、通常、亜鉛合金、アルミ合金等や樹脂成形品等で構成されるが、収納用引出２２の開閉操作に支障のない硬質材料であればよい。取手１は、一対の連結部材１１ａ，１１ｂと、取手本体１２とからなり、略コの字状に構成されている。一対の連結部材１１ａ，１１ｂは、ベース部１１ｃ，１１ｄと、該ベース部１１ｃ，１１ｄの他端から４５度下方に傾斜して延在した傾斜片１１ｅ，１１ｆとからなる。ベース部１１ｃ，１１ｄの一端側は、収納用引出２２の前板２３と接触する接触面１１ｇ，１１ｈが形成されている。ベース部１１ｃ，１１ｄの接触面１１ｇ，１１ｈには、他端側に向かって延在するネジ締結孔１１ｉ，１１ｊが形成されている。取手本体１２は、略平板状に構成され、前記各連結部材１１ａ，１１ｂの傾斜片１１ｅ，１１ｆに連設され、ベース部１１ｃ，１１ｄに対して４５度下方に傾斜している。取手本体１２の表面１２ａは、平坦状に構成されている。取手本体１２の裏面１２ｂには、凸面部１２ｂ１と平面部１２ｂ２とが形成されている。凸面部１２ｂ１は、取手本体１２の上縁端部に沿って延在している。平面部１２ｂ２は、凸面部１２ｂ１の下端に沿って延在している。取手本体１２は、凸面部１２ｂ１が形成されている部分を除いて、厚さ３ｍｍないし６ｍｍの範囲で構成される。取手本体１２の表面１２ａの表面の上縁端部及び下縁端部と裏面１２ｂの下縁端部には、平坦状に構成された面取部１２ｋ〜１２ｍが形成されている。前記面取部１２ｋ〜１２ｍは、円弧状に構成されていてもよい。
【００１８】
収納用引出２２の前板２３の後面側からネジ挿通孔（不図示）に挿通されたネジ（不図示）が、一対の連結部材１１ａ，１１ｂのネジ締結孔１１ｉ，１１ｊにそれぞれ締結されることで、取手本体１２が、一対の連結部材１１ａ，１１ｂを介して、前記収納用引出２２に連結されている。取手本体１２は、収納用引出２２の前板２３の前面部に対して４５度下方に傾斜し、その裏面が前板２３の前面部と対向している。
【００１９】
次に、前記構成からなる取手１を収納用キャビネット２に取り付けて使用する場合の作用について説明する。
【００２０】
使用者が本実施形態の取手１を把持した場合、取手本体１２が使用者の折り曲げた各指に沿って接触する。これにより、握り易さや使い易さ等の機能が向上し、取手１の構成において、「ユニバーサルデザイン」に配慮した操作性を実現することが可能となる。
【００２１】
具体的には、使用者が、図３（ａ）に示したように、手を上側に挙げて本実施形態の取手１を把持した場合、使用者の折り曲げた各指が、取手本体１２の表面１２ａ、上縁端部、裏面１２ｂの凸面１２ｂ１及び平面部１２ｂ２に沿って接触する。このように、各指が取手本体１２の表面１２ａ、上縁端部、裏面１２ｂの凸面１２ｂ１及び平面部１２ｂ２に沿って接触した状態で取手本体１２を把持することになる。このため、各指と取手本体１２との接触面積を、特許文献１の取手１０１や特許文献２の建築用把手２０１に比べて広く確保することができる。
【００２２】
また、使用者が、図３（ｂ）に示したように、手を水平に伸ばし収納用引出２２に対して垂直に本実施形態の取手１を把持した場合、又は、図３（ｃ）に示したように、手を下側に下げて本実施形態の取手１を把持した場合、使用者の折り曲げた各指が、取手本体１２の上縁端部、裏面１２ｂの凸面部１２ｂ１及び平面部１２ｂ２に沿って接触する。このように取手本体１２と接触した各指は、凸面部１２ｂ１及び平面部１２ｂ２と接触して取手本体１２を把持することになるので、各指と取手本体１２との接触面積が比較的広くなる。
【００２３】
したがって、本実施形態によれば、特許文献１の取手や特許文献２の建築用把手に比べて、各指と取手本体１２との接触面積が広くなり、収納用引出２２を開けるのに必要な力が取手本体１２に伝達し易くなる。特に、手を上側に挙げて取手１を把持した場合、使用者の手が広く構成された取手本体１２の表面１２ａと裏面の凸面部１２ｂ１及び平面部１２ｂ２と接触する。このため、引出作業に必要な力が、特許文献１の取手や特許文献２の建築用把手よりも、前記の接触部分を支点として取手本体１２に加わり易い。これにより、使用者にとって、収納用キャビネット２の収納用引出２２を開けるのが容易となる。
【００２４】
なお、本実施形態においては、取手本体１２の凸面部１２ｂ１は、半径４ｍｍの断面円弧状に構成されている。しかしながら、収納用引出２２を開けるのに必要な力が取手本体１２に伝達し易いように構成されていれば、上記のような形状に限定されるものではない。具体的には、前記取手本体１２の凸面部１２ｂ１は、取手本体１２の厚さに対応して半径４ｍｍないし６ｍｍの断面円弧状又は断面半円状に構成されていればよい。前記凸面部１２ｂ１が半径４ｍｍ未満で構成されている場合には、収納用引出２２を開ける時に指に対して線荷重がかかり、取手本体１２が指に食い込み不快感を伴う等の不都合がある。また、前記凸面部１２ｂ１が半径６ｍｍを超えて構成されている場合には、取手１の構成が全体として大きくなり、手を下側に下げて取手１を把持した時に、特に、指先が取手本体１２の裏面の平面部１２ｂ２に接触せず、引出作業に必要な力が、取手本体１２に伝達し難くなる等の不都合がある。また、本実施形態においては、取手１は、取手本体１２が一対の連結部材１１ａ，１１ｂに連設されて、略コの字状に構成されているが、１つのベース部の両端から傾斜片を延在させて略コの字状に構成した連結部材に、取手本体１２を連設し、取手１が全体として略ロの字状に構成され、前記ベース部が収納用引出２２の前板２３に取り付けられてもよい。
【００２５】
図４（ａ）は、本発明の第２実施形態に係る取手１の正面図であり、図４（ｂ）は、その背面図であり、図２（ｃ）は、その側面図である。本実施形態に係る取手１は、取手本体１２が、略凸板状に構成されている点を除けば、前記第１実施形態の取手１と同一である。したがって、以下の第２実施形態に係る取手１の説明においては、その構成が第１実施形態と同一である部分については、対応する部分に同一符号を付して説明を省略し、以下の異なる部分についてのみ説明する。
【００２６】
取手本体１２の表面１２ａは、半径２０ｍｍの断面円弧状に構成されている。取手本体１２の裏面１２ｂには、円弧面部１２ｂ３が形成されている。円弧面部１２ｂ３は、凸面部１２ｂ１の下端に沿って延在している。
【００２７】
前記構成からなる取手１を収納用キャビネット２に取り付けて使用する場合の作用は、第１実施形態とほぼ同様であるが、以下の点でその作用が異なる。
【００２８】
使用者が、図５（ａ）に示したように、手を上側に挙げて本実施形態の取手１を把持した場合、取手本体１２の表面１２ａ、上縁端部、裏面１２ｂの凸面１２ｂ１及び平面部１２ｂ２の形状が、折り曲げ時における各指の接触面の形状と近似するので、第１実施形態の取手よりも取手本体１２を把持し易く、引出作業に必要な力を取手本体１２に確実に伝達することができ、使用者にとって、収納用キャビネット２の収納用引出２２を開けるのがさらに容易となる。
【００２９】
なお、本実施形態では、取手本体の表面１２ａは、半径２０ｍｍの断面円弧状に構成されているが、階段等に設置される手すりと同じように、指を折り曲げた状態の掌の形状に合致して握り易く構成されていれば、前記のような数値に限定されるものではない。具体的には、取手本体の表面１２ａは、半径１５ｍｍないし２０ｍｍの断面円弧状に構成されているのが好ましく、２０ｍｍを超えた断面円弧状に構成されていてもよい。
【図面の簡単な説明】
【００３０】
【図１】本発明の第１実施形態に係る取手が取り付けられた収納用キャビネットの斜視図である。
【図２】（ａ）は、図１の収納用引出に取り付けられた取手の正面図であり、（ｂ）は、その背面図であり、（ｃ）は、その側面図である。
【図３】（ａ）は、手を上側に挙げて図２の取手を把持した状態の部分断面図であり、（ｂ）は、手を収納用引出に対して垂直方向に向けて図２の取手を把持した状態の部分断面図であり、（ｃ）は、手を上側に挙げて図２の取手を把持した状態の部分断面図である。
【図４】（ａ）は、本発明の第２実施形態に係る取手の正面図であり、（ｂ）は、その背面図であり、（ｃ）は、その側面図である。
【図５】（ａ）は、手を上側に挙げて図２の取手を把持した状態の部分断面図であり、（ｂ）は、手を水平に伸ばして収納用引出に対して垂直に図２の取手を把持した状態の部分断面図であり、（ｃ）は、手を下側に下げて図２の取手を把持した状態の部分断面図である。
【図６】従来技術の取手が取り付けられた収納用引出の斜視図である。
【図７】（ａ）は、手を上側に挙げて図６の取手を把持した状態の部分断面図であり、（ｂ）は、手を水平に伸ばして垂直に図６の取手を把持した状態の部分断面図であり、（ｃ）は、手を下側に下げて図６の取手を把持した状態の部分断面図である。
【図８】従来技術の取手が取り付けられた収納用引出の斜視図である。
【図９】手を収納用引出に対して垂直方向に向けて図６の取手を把持した状態の部分断面図である。
【図１０】従来技術の取手の斜視図である。
【符号の説明】
【００３１】
１  取手
１１ａ，１１ｂ  連結部材
１２  取手本体
２  収納用キャビネット
２１  キャビネット本体
２２  収納用引出
【図１】
2008079958.tif 000003
【図２】
2008079958.tif 000004
【図３】
2008079958.tif 000005
【図４】
2008079958.tif 000006
【図５】
2008079958.tif 000007
【図６】
2008079958.tif 000008
【図７】
2008079958.tif 000009
【図８】
2008079958.tif 000010
【図９】
2008079958.tif 000011
【図１０】
2008079958.tif 000012